(57)【要約】      （修正有）【課題】通信可能エリアを拡張できるマルチホップ無線システムを提供する。【解決手段】無線端末１０は、ペアとなる第１のアドレスおよび第２のアドレスを上位／下位アクセスポイントにそれぞれ通知する。上位アクセスポイントＡＰ-Ａは、ダウンリンクのパケットについて、第１のアドレスを宛先とし、所定のシーケンス制御番号を付して無線端末に送信し、中継リンクｃｈＬを介して第２のアドレスを宛先とし、所定のシーケンス制御番号を付して下位アクセスポイントに送信する。下位アクセスポイントＡＰ-Ｂは、中継リンクｃｈＬでパケットを受信し、当該パケットを第２のアドレスを宛先とし、所定のシーケンス制御番号を付して無線端末に送信する。無線端末１０は、第１のアドレスおよび第２のアドレスを宛先とするパケットを受信してバッファリングし、所定のシーケンス制御番号を有するパケットをダイバーシチ合成して復号処理する。【選択図】図１
2011087225.tif 000002
【特許請求の範囲】
【請求項１】
中継リンクを介して下位アクセスポイントと通信する中継リンク無線部と、アクセスリンクを介して無線端末と通信するアクセスリンク無線部とを備えた上位アクセスポイントと、
中継リンクを介して上位アクセスポイントと通信する中継リンク無線部と、アクセスリンクを介して無線端末と通信するアクセスリンク無線部とを備えた下位アクセスポイントと、
前記アクセスリンクを介して前記上位アクセスポイントおよび前記下位アクセスポイントと接続するアクセスリンク無線部を備えた無線端末と
を備え、前記無線端末が１または複数のアクセスポイントを介して外部のネットワークに接続されるマルチホップ無線システムにおいて、
前記無線端末は、前記上位アクセスポイントとの接続に用いる第１のアドレスと、前記下位アクセスポイントとの接続に用いる第２のアドレスとを備え、前記第１のアドレスおよび前記第２のアドレスをペアのアドレスとして前記上位アクセスポイントおよび前記下位アクセスポイントにそれぞれ通知する構成であり、
前記上位アクセスポイントは、ダウンリンクのパケットについて、前記アクセスリンク無線部から前記第１のアドレスを宛先とし、所定のシーケンス制御番号を付して前記無線端末に送信し、前記中継リンク無線部から前記第２のアドレスを宛先とし、前記所定のシーケンス制御番号と同じシーケンス制御番号を付して前記下位アクセスポイントに送信する構成であり、
前記下位アクセスポイントは、前記中継リンク無線部で前記上位アクセスポイントから送信されたパケットを受信し、当該パケットを前記アクセスリンク無線部から前記第２のアドレスを宛先とし、前記所定のシーケンス制御番号と同じシーケンス制御番号を付して前記無線端末に送信する構成であり、
前記無線端末は、前記アクセスリンク無線部で前記第１のアドレスおよび前記第２のアドレスを宛先とするパケットを受信してバッファリングし、前記所定のシーケンス制御番号を有するパケットをダイバーシチ合成して復号処理する構成である
ことを特徴とするマルチホップ無線システム。
【請求項２】
中継リンクを介して下位アクセスポイントと通信する中継リンク無線部と、アクセスリンクを介して無線端末と通信するアクセスリンク無線部とを備えた上位アクセスポイントと、
中継リンクを介して上位アクセスポイントと通信する中継リンク無線部と、アクセスリンクを介して無線端末と通信するアクセスリンク無線部とを備えた下位アクセスポイントと、
前記アクセスリンクを介して前記上位アクセスポイントおよび前記下位アクセスポイントと接続するアクセスリンク無線部を備えた無線端末と
を備え、前記無線端末が１または複数のアクセスポイントを介して外部のネットワークに接続されるマルチホップ無線システムにおいて、
前記無線端末は、前記上位アクセスポイントとの接続に用いる第１のアドレスと、前記下位アクセスポイントとの接続に用いる第２のアドレスとを備え、前記第１のアドレスおよび前記第２のアドレスをペアのアドレスとして前記上位アクセスポイントおよび前記下位アクセスポイントにそれぞれ通知する構成であり、
前記無線端末は、アップリンクのパケットについて、前記アクセスリンク無線部から前記第１のアドレスおよび前記第２のアドレスを送信元とし、所定のシーケンス制御番号を付して前記上位アクセスポイントおよび前記下位アクセスポイントにそれぞれ送信する構成であり、
前記下位アクセスポイントは、前記アクセスリンク無線部で前記無線端末から送信されたパケットを受信し、当該パケットを前記中継リンク無線部から前記第２のアドレスを送信元とし、前記所定のシーケンス制御番号と同じシーケンス制御番号を付して前記上位アクセスポイントに送信する構成であり、
前記上位アクセスポイントは、前記アクセスリンク無線部で前記第１のアドレスを送信元とするパケットを受信してバッファリングし、前記中継リンク無線部で前記第２のアドレスを送信元とするパケットを受信してバッファリングし、前記所定のシーケンス制御番号を有するパケットをダイバーシチ合成して復号処理する構成である
ことを特徴とするマルチホップ無線システム。
【請求項３】
請求項２に記載のマルチホップ無線システムにおいて、
前記下位アクセスポイントは、前記アクセスリンクの受信状態を検出する手段を備え、前記中継リンク無線部は前記第２のアドレスを送信元とするパケットの受信状態の情報を前記上位アクセスポイントに送信する構成であり、
前記上位アクセスポイントは、前記中継リンク無線部で前記第２のアドレスを送信元とするパケットの受信状態の情報を受信し、当該受信状態の情報に基づいて前記ダイバーシチ合成する処理を行う構成である
ことを特徴とするマルチホップ無線システム。
【請求項４】
請求項１に記載のマルチホップ無線システムにおいて、
前記上位アクセスポイントは、前記中継リンク無線部と前記アクセスリンク無線部を１つの無線部で構成し、前記中継リンクへのパケットの送信および前記アクセスリンクへのパケットの送信を同一チャネルで順番に行う構成であり、
前記下位アクセスポイントは、前記中継リンク無線部と前記アクセスリンク無線部を１つの無線部で構成し、前記中継リンクからのパケットの受信および前記アクセスリンクへのパケットの送信を同一チャネルで順番に行う構成である
ことを特徴とするマルチホップ無線システム。
【請求項５】
請求項２に記載のマルチホップ無線システムにおいて、
前記下位アクセスポイントは、前記中継リンク無線部と前記アクセスリンク無線部を１つの無線部で構成し、前記アクセスリンクからのパケットの受信および前記中継リンクへのパケットの送信を同一チャネルで順番に行う構成であり、
前記上位アクセスポイントは、前記中継リンク無線部と前記アクセスリンク無線部を１つの無線部で構成し、前記中継リンクからのパケットの受信および前記アクセスリンクからのパケットの受信を同一チャネルで順番に行う構成である
ことを特徴とするマルチホップ無線システム。
【発明の詳細な説明】
【技術分野】
【０００１】
本発明は、無線端末が１または複数のアクセスポイントを介して外部のネットワークと接続するマルチホップ無線システムに関する。
【背景技術】
【０００２】
図６は、マルチホップ無線システムの構成例を示す（非特許文献１）。
図６において、アクセスポイントＡＰ−ＡはアクセスリンクｃｈＡがカバーする通信エリア内の無線端末と無線通信する。アクセスポイントＡＰ−ＢはアクセスリンクｃｈＢがカバーする通信エリア内の無線端末と無線通信する。アクセスポイントＡＰ−ＡとアクセスポイントＡＰ−Ｂは、中継リンクｃｈＬを介して無線通信する。通常、複数のアクセスポイントが中継リンクを介して上位−下位の関係で順次接続され、最上位のアクセスポイントに外部のネットワークが接続されるが、ここでは最小限の２つのアクセスポイントを例に説明する。すなわち、ＡＰ−Ａを外部のネットワークに接続される上位のアクセスポイントとし、ＡＰ−Ｂを下位のアクセスポイントとする。
【０００３】
無線端末は、上位ＡＰ−Ａまたは下位ＡＰ−Ｂのいずれかに属しており、各アクセスポイントは無線端末が属するアクセスポイントの情報を有している。いま、無線端末が上位ＡＰ−Ａに属している場合、外部のネットワークから無線端末へ送信されるパケットが上位ＡＰ−Ａに到着すると、上位ＡＰ−ＡはアクセスリンクｃｈＡを介して当該パケットを送信し、無線端末がこれを受信する。一方、無線端末が下位ＡＰ−Ｂに属している場合、外部のネットワークから無線端末へ送信されるパケットが上位ＡＰ−Ａに到着すると、上位ＡＰ−Ａは中継リンクｃｈＬを介して当該パケットを下位ＡＰ−Ｂへ送信し、下位ＡＰ−Ｂがこれを受信するとアクセスリンクｃｈＢを介して当該パケットを送信し、無線端末がこれを受信する。
【０００４】
このようなマルチホップ無線システムでは、ダウンリンクにおいて、無線端末が上位ＡＰ−Ａに属している場合にはシングルホップで、下位ＡＰ−Ｂに属している場合には上位ＡＰ−Ａから下位ＡＰ−Ｂを介するマルチホップで、それぞれ外部のネットワークからのパケットを受信する構成である。また、無線端末から外部のネットワークにパケットを送信するアップリンクにおいても同様である。
【先行技術文献】
【非特許文献】
【０００５】
【非特許文献１】2008年電子情報通信学会通信ソサイエティ大会、B-5-122 「ホットスポットを使った仮設無線ＬＡＮのインターネット接続」
【発明の概要】
【発明が解決しようとする課題】
【０００６】
隣接するアクセスポイントの距離は、図６に示すように、隣接するアクセスポイントのアクセスリンクがカバーする通信エリアの一部が重なり、端末が少なくとも一方のアクセスポイントと通信可能なように設定されるのが一般的である。このアクセスポイント間の距離を大きくすると、図７に実線で示すように、隣接するアクセスポイントの通信エリアの重なりがなくなる。このようなアクセスポイントの通信エリア外では、受信Ｓ／Ｎが低下していずれのアクセスポイントとも通信ができない。したがって、このような通信不能エリアをなくすために、図６に示すように隣接するアクセスポイントの通信エリアの一部が重なるように設定する必要があった。すなわち、隣接するアクセスポイントの距離を小さくする必要があるが、そのためにマルチホップ無線システム全体の通信可能エリアが小さくなる問題があった。
【０００７】
ところで、図７に示す実線の通信エリアとその外側の点線で示す通信エリアとの間では、受信Ｓ／Ｎが低下して各アクセスポイントと個別に通信はできないが、その重なるエリアでは隣接するアクセスポイントの双方と信号の送受信が可能な場合がある。この場合、双方の信号をダイバーシチ処理することにより受信Ｓ／Ｎを向上させることができれば、隣接するアクセスポイントの距離を大きくすることができる。
【０００８】
本発明は、隣接するアクセスポイントの双方と信号の送受信が可能なエリアでアクセスリンクの受信Ｓ／Ｎを向上させ、隣接するアクセスポイントの距離を大きくしてシステム全体の通信可能エリアを拡張することができるマルチホップ無線システムを提供することを目的とする。
【課題を解決するための手段】
【０００９】
第１の発明は、ダウンリンクにおけるマルチホップ無線システムの構成である。中継リンクを介して下位アクセスポイントと通信する中継リンク無線部と、アクセスリンクを介して無線端末と通信するアクセスリンク無線部とを備えた上位アクセスポイントと、中継リンクを介して上位アクセスポイントと通信する中継リンク無線部と、アクセスリンクを介して無線端末と通信するアクセスリンク無線部とを備えた下位アクセスポイントと、アクセスリンクを介して上位アクセスポイントおよび下位アクセスポイントと接続するアクセスリンク無線部を備えた無線端末とを備え、無線端末が１または複数のアクセスポイントを介して外部のネットワークに接続されるマルチホップ無線システムにおいて、無線端末は、上位アクセスポイントとの接続に用いる第１のアドレスと、下位アクセスポイントとの接続に用いる第２のアドレスとを備え、第１のアドレスおよび第２のアドレスをペアのアドレスとして上位アクセスポイントおよび下位アクセスポイントにそれぞれ通知する構成であり、上位アクセスポイントは、ダウンリンクのパケットについて、アクセスリンク無線部から第１のアドレスを宛先とし、所定のシーケンス制御番号を付して無線端末に送信し、中継リンク無線部から第２のアドレスを宛先とし、所定のシーケンス制御番号と同じシーケンス制御番号を付して下位アクセスポイントに送信する構成であり、下位アクセスポイントは、中継リンク無線部で上位アクセスポイントから送信されたパケットを受信し、当該パケットをアクセスリンク無線部から第２のアドレスを宛先とし、所定のシーケンス制御番号と同じシーケンス制御番号を付して無線端末に送信する構成であり、無線端末は、アクセスリンク無線部で第１のアドレスおよび第２のアドレスを宛先とするパケットを受信してバッファリングし、所定のシーケンス制御番号を有するパケットをダイバーシチ合成して復号処理する構成である。
【００１０】
第２の発明は、アップリンクにおけるマルチホップ無線システムの構成である。中継リンクを介して下位アクセスポイントと通信する中継リンク無線部と、アクセスリンクを介して無線端末と通信するアクセスリンク無線部とを備えた上位アクセスポイントと、中継リンクを介して上位アクセスポイントと通信する中継リンク無線部と、アクセスリンクを介して無線端末と通信するアクセスリンク無線部とを備えた下位アクセスポイントと、アクセスリンクを介して上位アクセスポイントおよび下位アクセスポイントと接続するアクセスリンク無線部を備えた無線端末とを備え、無線端末が１または複数のアクセスポイントを介して外部のネットワークに接続されるマルチホップ無線システムにおいて、無線端末は、上位アクセスポイントとの接続に用いる第１のアドレスと、下位アクセスポイントとの接続に用いる第２のアドレスとを備え、第１のアドレスおよび第２のアドレスをペアのアドレスとして上位アクセスポイントおよび下位アクセスポイントにそれぞれ通知する構成であり、無線端末は、アップリンクのパケットについて、アクセスリンク無線部から第１のアドレスおよび第２のアドレスを送信元とし、所定のシーケンス制御番号を付して上位アクセスポイントおよび下位アクセスポイントにそれぞれ送信する構成であり、下位アクセスポイントは、アクセスリンク無線部で無線端末から送信されたパケットを受信し、当該パケットを中継リンク無線部から第２のアドレスを送信元とし、所定のシーケンス制御番号と同じシーケンス制御番号を付して上位アクセスポイントに送信する構成であり、上位アクセスポイントは、アクセスリンク無線部で第１のアドレスを送信元とするパケットを受信してバッファリングし、中継リンク無線部で第２のアドレスを送信元とするパケットを受信してバッファリングし、所定のシーケンス制御番号を有するパケットをダイバーシチ合成して復号処理する構成である。                                          
【００１１】
第２の発明のマルチホップ無線システムにおける下位アクセスポイントは、アクセスリンクの受信状態を検出する手段を備え、中継リンク無線部は第２のアドレスを送信元とするパケットの受信状態の情報を上位アクセスポイントに送信する構成であり、上位アクセスポイントは、中継リンク無線部で第２のアドレスを送信元とするパケットの受信状態の情報を受信し、当該受信状態の情報に基づいてダイバーシチ合成する処理を行う構成である。
【００１２】
第１の発明のマルチホップ無線システムにおける上位アクセスポイントは、中継リンク無線部とアクセスリンク無線部を１つの無線部で構成し、中継リンクへのパケットの送信およびアクセスリンクへのパケットの送信を同一チャネルで順番に行う構成であり、下位アクセスポイントは、中継リンク無線部とアクセスリンク無線部を１つの無線部で構成し、中継リンクからのパケットの受信およびアクセスリンクへのパケットの送信を同一チャネルで順番に行う構成である。
【００１３】
第２の発明のマルチホップ無線システムにおける下位アクセスポイントは、中継リンク無線部とアクセスリンク無線部を１つの無線部で構成し、アクセスリンクからのパケットの受信および中継リンクへのパケットの送信を同一チャネルで順番に行う構成であり、上位アクセスポイントは、中継リンク無線部とアクセスリンク無線部を１つの無線部で構成し、中継リンクからのパケットの受信およびアクセスリンクからのパケットの受信を同一チャネルで順番に行う構成である。
【発明の効果】
【００１４】
本発明のマルチホップ無線システムでは、２つの経路のパケットをダイバーシチ合成することにより受信Ｓ／Ｎを向上させることができ、隣接するアクセスポイントの距離を大きくしてシステム全体の通信可能エリアを拡張することができる。
【図面の簡単な説明】
【００１５】
【図１】本発明のマルチホップ無線システムの実施例構成を示す図である。
【図２】アクセスポイントＡＰ−Ａ，ＡＰ−Ｂ、無線端末１０のダウンリンクに関する構成例を示す図である。
【図３】ダウンリンクにおけるＭＡＣヘッダ部のアドレスおよびシーケンス制御番号の例を示す図である。
【図４】アクセスポイントＡＰ−Ａ，ＡＰ−Ｂ、無線端末１０のアップリンクに関する構成例を示す図である。
【図５】アップリンクにおけるＭＡＣヘッダ部のアドレスおよびシーケンス制御番号の例を示す図である。
【図６】マルチホップ無線システムの構成例を示す図である。
【図７】マルチホップ無線システムの従来の課題を説明する図である。
【発明を実施するための形態】
【００１６】
図１は、本発明のマルチホップ無線システムの実施例構成を示す。
図１において、上位のアクセスポイントＡＰ−Ａと下位のアクセスポイントＡＰ−Ｂが中継リンクｃｈＬを介して無線接続される。アクセスポイントＡＰ−Ａには、外部のネットワークが直接接続されるか、またはさらに上位のアクセスポイントを介して外部のネットワークが接続される。アクセスポイントＡＰ−ＡはアクセスリンクｃｈＡがカバーする通信エリア内の無線端末と接続し、アクセスポイントＡＰ−ＢはアクセスリンクｃｈＢがカバーする通信エリア内の無線端末と接続する。ここで、図中実線で示すアクセスリンクの通信エリア内は十分な受信Ｓ／Ｎを確保できるが、その外側に広がる破線で示す通信エリアまでは十分な受信Ｓ／Ｎとは言えないまでも、パケットのヘッダ部の識別程度はできるものとする。本発明は、ダイバーシチ合成によりこの破線で示す通信エリアまで十分な受信Ｓ／Ｎを確保し、アクセスポイント間の距離を拡張するものである。
【００１７】
本発明の無線端末１０は、アクセスポイントＡＰ−Ａと通信するＭＡＣアドレス（ＳＴＡ−Ａ）およびアクセスポイントＡＰ−Ｂと通信するＭＡＣアドレス（ＳＴＡ−Ｂ）をもつ。アクセスポイントＡＰ−ＡおよびアクセスポイントＡＰ−Ｂは、ＳＴＡ−ＡがＡＰ−Ａに属し、ＳＴＡ−ＢがＡＰ−Ｂに属し、ＳＴＡ−ＡおよびＳＴＡ−Ｂは無線端末１０がもつペアのＭＡＣアドレスであることを示す情報を保持する。ここでは、無線端末１０は、アクセスポイントＡＰ−ＡのアクセスリンクｃｈＡおよびアクセスポイントＡＰ−ＢのアクセスリンクｃｈＢがカバーする通信エリアの境界付近に位置し、各アクセスポイントとの接続処理（Association 処理）が完了し、当該アドレス情報が無線端末１０から各アクセスポイントに通知されている状態とする。
【００１８】
（ダウンリンクの構成例）
図２は、アクセスポイントＡＰ−Ａ，ＡＰ−Ｂおよび無線端末１０のダウンリンクに関する構成例を示す。図２(1) はアクセスポイントＡＰ−Ａ、図２(2) はアクセスポイントＡＰ−Ｂ、図２(3) は無線端末１０を示す。
【００１９】
図１および図２を参照し、アクセスポイントＡＰ−Ａから無線端末１０へパケットを送信するダウンリンクについて説明する。
【００２０】
アクセスポイントＡＰ−Ａは、受信部２１で上位のアクセスポイントまたは外部のネットワークから送信されたパケットを受信する。受信部２１は、受信したパケットの宛先がＳＴＡ−Ａであることを検出すると、当該ＳＴＡ−ＡがアクセスポイントＡＰ−Ａに属している無線端末１０のＭＡＣアドレスであることを把握し、さらにペアとなるＳＴＡ−Ｂが下位のアクセスポイントＡＰ−Ｂに属している無線端末１０のＭＡＣアドレスであることを把握し、アクセスリンク送信部２２および中継リンク送信部２３へ当該パケットを出力する。アクセスリンク送信部２２は、ＳＴＡ−Ａを宛先とする当該パケットを、アクセスリンクｃｈＡを介してインフラストラクチャモードで無線端末１０へ送信する。中継リンク送信部２３は、当該パケットの宛先をＳＴＡ−Ｂに書き換え、中継リンクｃｈＬを介してＷＤＳ（Wireless Distribution Systrm) モードでアクセスポイントＡＰ−Ｂへ送信する。
【００２１】
アクセスポイントＡＰ−Ｂは、中継リンク受信部３１で中継リンクｃｈＬのパケットを受信する。中継リンク受信部３１は、受信したパケットの宛先がＳＴＡ−Ｂであることを検出すると、当該ＳＴＡ−ＢがアクセスポイントＡＰ−Ｂに属している無線端末１０のＭＡＣアドレスであることを把握し、アクセスリンク送信部３２へ当該パケットを出力する。アクセスリンク送信部３２は、ＳＴＡ−Ｂを宛先とする当該パケットを、アクセスリンクｃｈＢを介してインフラストラクチャモードで無線端末１０へ送信する。
【００２２】
ここで、アクセスポイントＡＰ−Ａのアクセスリンク送信部２２および中継リンク送信部２３から送信されるパケットのＭＡＣヘッダ部に記載されるシーケンス制御番号は同じ値ｘに設定される。また、アクセスポイントＡＰ−Ｂのアクセスリンク送信部３２から送信されるパケットのシーケンス制御番号ｘは、そのまま不変とする。
【００２３】
図３は、ダウンリンクにおけるＭＡＣヘッダ部のアドレスおよびシーケンス制御番号の例を示す。ここでは、802.11ＭＡＣフレームに適用した例を示す。
【００２４】
図３(1) はアクセスポイントＡＰ−ＡからアクセスポイントＡＰ−Ｂに送信されるパケットのＭＡＣヘッダ部を示す。アドレス１は次転送先アクセスポイントのＭＡＣアドレスであり、ここではアクセスポイントＡＰ−ＢのＭＡＣアドレスが入る。アドレス２は転送元アクセスポイントのＭＡＣアドレスであり、ここではアクセスポイントＡＰ−ＡのＭＡＣアドレスが入る。アドレス３は宛先アドレスであり、ここでは無線端末１０のＭＡＣアドレスＳＴＡ−Ｂが入る。アドレス４はパケットの送信元アドレスＳＡである。
【００２５】
図３(2) はアクセスポイントＡＰ−Ａから無線端末１０に送信されるパケットのＭＡＣヘッダ部を示す。アドレス１は宛先アドレスであり、ここでは無線端末１０のＭＡＣアドレスＳＴＡ−Ａが入る。アドレス２は送信元アクセスポイントのＭＡＣアドレスであり、ここではアクセスポイントＡＰ−ＡのＭＡＣアドレスが入る。アドレス３はパケットの送信元アドレスＳＡである。
【００２６】
図３(3) はアクセスポイントＡＰ−Ｂから無線端末１０に送信されるパケットのＭＡＣヘッダ部を示す。アドレス１は宛先アドレスであり、ここでは無線端末１０のＭＡＣアドレスＳＴＡ−Ｂが入る。アドレス２は送信元アクセスポイントのＭＡＣアドレスであり、ここではアクセスポイントＡＰ−ＢのＭＡＣアドレスが入る。アドレス３はパケットの送信元アドレスＳＡである。
【００２７】
無線端末１０は、図２(3) に示すように、アクセスリンク受信部１１，１２でアクセスリンクｃｈＡおよびアクセスリンクｃｈＢのパケットをそれぞれ受信する。アクセスリンク受信部１１は、アクセスリンクｃｈＡから宛先がＳＴＡ−Ａのパケットを受信し、アクセスリンク受信部１２はアクセスリンクｃｈＢから宛先がＳＴＡ−Ｂのパケットを受信し、それぞれダイバーシチ合成／復号部１３に出力する。なお、ここでＭＡＣヘッダ部の復号化ができないパケットは廃棄される。
【００２８】
ダイバーシチ合成／復号部１３は、入力するパケットをバッファリングするとともに、ＭＡＣヘッダ部に記載されたシーケンス制御番号を検出し、シーケンス制御番号が同じパケットをダイバーシチ合成し、復号化して出力する。これにより、アクセスポイントＡＰ−Ａから無線端末１０に直接送信されたパケットと、アクセスポイントＡＰ−ＡからアクセスポイントＡＰ−Ｂを介して無線端末１０に送信されたパケットについて、シーケンス制御番号ｘに基づいてダイバーシチ合成が可能となり、受信Ｓ／Ｎを改善することができる。
【００２９】
なお、無線端末１０において、ダイバーシチ合成／復号部１３のバッファに保持時間の制限を設け、規定時間内に同じシーケンス制御番号をもつパケットが揃わない場合には、その１つのパケットを復号化して出力するか、廃棄してもよい。これは、例えば無線端末１０が一方のアクセスポイントからの受信レベルが高く、他方のアクセスポイントからの受信レベルが低い場合など、パケットは２経路で伝送されるものの、その一方の経路のパケットしか受信できないような場合に適用される処理である。
【００３０】
また、アクセスポイントＡＰ−Ａは、アクセスリンク送信部２２と中継リンク送信部２３を１つの無線部で構成し、アクセスリンクへのパケットの送信および中継リンクへのパケットの送信を同一チャネルで順番に行う構成としてもよい。アクセスポイントＡＰ−Ｂは、中継リンク受信部３１とアクセスリンク送信部３２を１つの無線部で構成し、中継リンクからのパケットの受信およびアクセスリンクへのパケットの送信を同一チャネルで順番に行う構成としてもよい。
【００３１】
（アップリンクの構成例）
図４は、アクセスポイントＡＰ−Ａ，ＡＰ−Ｂおよび無線端末１０のアップリンクに関する構成例を示す。図４(1) は無線端末１０、図４(2) はアクセスポイントＡＰ−Ｂ、図４(3) はアクセスポイントＡＰ−Ａを示す。
【００３２】
図１および図４を参照し、無線端末１０からアクセスポイントＡＰ−Ａへパケットを送信するアップリンクについて説明する。
【００３３】
無線端末１０は、アクセスポイントＡＰ−Ａに接続される外部のネットワークの宛先アドレスＤＡへ向けて送信するパケットが発生したときに、当該パケットを送信部１４からアクセスリンク送信部１５およびアクセスリンク送信部１６へ並列に出力する。アクセスリンク送信部１５は、当該パケットの送信元アドレスをＳＴＡ−Ａとし、アクセスリンクｃｈＡを介してインフラストラクチャモードでアクセスポイントＡＰ−Ａへ送信する。アクセスリンク送信部１６は、当該パケットの送信元アドレスをＳＴＡ−Ｂとし、アクセスリンクｃｈＢを介してインフラストラクチャモードでアクセスポイントＡＰ−Ｂへ送信する。
【００３４】
アクセスポイントＡＰ−Ｂは、アクセスリンク受信部３４でアクセスリンクｃｈＢのパケットを受信する。アクセスリンク受信部３４は、受信したパケットの送信元がＳＴＡ−Ｂであり、宛先が外部のネットワークの宛先アドレスＤＡであることを検出すると、当該ＳＴＡ−ＢがアクセスポイントＡＰ−Ｂに属している無線端末１０のＭＡＣアドレスであること、さらにペアとなるＳＴＡ−Ａが上位のアクセスポイントＡＰ−Ａに属している無線端末１０のＭＡＣアドレスであることを把握し、中継リンク送信部３３へ当該パケットを出力する。中継リンク送信部３３は、当該パケットを中継リンクｃｈＬを介してＷＤＳモードでアクセスポイントＡＰ−Ａへ送信する。
【００３５】
ここで、無線端末１０のアクセスリンク送信部１５およびアクセスリンク送信部１６から送信されるパケットのＭＡＣヘッダ部に記載されるシーケンス制御番号は同じ値ｙに設定される。また、アクセスポイントＡＰ−Ｂの中継リンク送信部３３から送信されるパケットのシーケンス制御番号ｙは、そのまま不変とする。
【００３６】
図５は、アップリンクにおけるＭＡＣヘッダ部のアドレスおよびシーケンス制御番号の例を示す。ここでは、802.11ＭＡＣフレームに適用した例を示す。
【００３７】
図５(1) は無線端末１０からアクセスポイントＡＰ−Ａに送信されるパケットのＭＡＣヘッダ部を示す。アドレス１は宛先アクセスポイントのアドレスであり、ここではアクセスポイントＡＰ−ＡのＭＡＣアドレスが入る。アドレス２は送信元アドレスであり、ここでは無線端末１０のＭＡＣアドレスＳＴＡ−Ａが入る。アドレス３はパケットの宛先アドレスＤＡである。
【００３８】
図５(2) は無線端末１０からアクセスポイントＡＰ−Ｂに送信されるパケットのＭＡＣヘッダ部を示す。アドレス１は宛先アクセスポイントのアドレスであり、ここではアクセスポイントＡＰ−ＢのＭＡＣアドレスが入る。アドレス２は送信元アドレスであり、ここでは無線端末１０のＭＡＣアドレスＳＴＡ−Ｂが入る。アドレス３はパケットの宛先アドレスＤＡである。
【００３９】
図５(3) はアクセスポイントＡＰ−ＢからアクセスポイントＡＰ−Ａに送信されるパケットのＭＡＣヘッダ部を示す。アドレス１は次転送先アクセスポイントのＭＡＣアドレスであり、ここではアクセスポイントＡＰ−ＡのＭＡＣアドレスが入る。アドレス２は転送元アクセスポイントのＭＡＣアドレスであり、ここではアクセスポイントＡＰ−ＢのＭＡＣアドレスが入る。アドレス３は宛先アドレスＤＡである。アドレス４は、送信元アドレスであり、ここでは無線端末１０のＭＡＣアドレスＳＴＡ−Ｂが入る。
【００４０】
アクセスポイントＡＰ−Ａは、図４(3) に示すように、アクセスリンク受信部２４でアクセスリンクｃｈＡのパケットを受信し、中継リンク受信部２５で中継リンクｃｈＬのパケットを受信する。アクセスリンク受信部２４は、アクセスリンクｃｈＡの送信元アドレスがＳＴＡ−Ａのパケットを受信し、中継リンク受信部２５は、中継リンクｃｈＬの送信元アドレスがＳＴＡ−Ｂのパケットを受信し、それぞれダイバーシチ合成／復号部２６に出力する。
【００４１】
ダイバーシチ合成／復号部２６は、ペアのＭＡＣアドレスであるＳＴＡ−Ａ，ＳＴＡ−Ｂをもつ無線端末１０から送信されたパケットをバッファリングするとともに、ＭＡＣヘッダ部に記載されたシーケンス制御番号を検出し、シーケンス制御番号が同じパケットをダイバーシチ合成し、復号化して送信部２７に出力する。送信部２７は、当該パケットを上位のアクセスポイントまたは外部のネットワークに送信する。これにより、無線端末１０からアクセスポイントＡＰ−Ａに直接送信されたパケットと、無線端末１０からアクセスポイントＡＰ−Ｂを介してアクセスポイントＡＰ−Ａに送信されたパケットについて、シーケンス制御番号ｙに基づいてダイバーシチ合成が可能となり、受信Ｓ／Ｎを改善することができる。
【００４２】
なお、アクセスポイントＡＰ−Ａにおいて、ダイバーシチ合成／復号部２６のバッファに保持時間の制限を設け、規定時間内に同じシーケンス制御番号をもつパケットが揃わない場合には、その１つのパケットを復号化して出力するか、廃棄してもよい。これは、例えば無線端末１０からアクセスポイントＡＰ−Ａに対して２経路でパケットが伝送されるものの、その一方の経路のパケットしか受信できないような場合に適用される処理である。
【００４３】
また、アクセスポイントＡＰ−ＢでアクセスリンクｃｈＢの受信状態（例えば受信レベルや受信品質）を検出する手段を備え、当該受信状態の情報を中継リンクｃｈＬを介してアクセスポイントＡＰ−ＢからアクセスポイントＡＰ−Ａに所定のパケットで伝送し、アクセスポイントＡＰ−Ａにおけるダイバーシチ合成に当該受信状態の情報を利用するようにしてもよい。
【００４４】
また、アクセスポイントＡＰ−Ｂは、アクセスリンク受信部３４と中継リンク送信部３３を１つの無線部で構成し、アクセスリンクからのパケットの受信および中継リンクへのパケットの送信を同一チャネルで順番に行う構成としてもよい。アクセスポイントＡＰ−Ａは、アクセスリンク受信部２４と中継リンク受信部２５を１つの無線部で構成し、アクセスリンクからのパケットの受信および中継リンクからのパケットの受信を同一チャネルで順番に行う構成としてもよい。
【００４５】
また、以上の説明では、ダウンリンクとアップリンクを分けて説明したために送信部と受信部を分けているが、共通の無線部で送受信処理を行うようにしてもよい。
【符号の説明】
【００４６】
ＡＰ−Ａ，ＡＰ−Ｂ  アクセスポイント
１０  無線端末
１１  アクセスリンク受信部（ＳＴＡ−Ａ）
１２  アクセスリンク受信部（ＳＴＡ−Ｂ）
１３  ダイバーシチ合成／復号部
１４  送信部
１５  アクセスリンク送信部（ＳＴＡ−Ａ）
１６  アクセスリンク送信部（ＳＴＡ−Ｂ）
２１  受信部
２２  アクセスリンク送信部
２３  中継リンク送信部
２４  アクセスリンク受信部
２５  中継リンク受信部
２６  ダイバーシチ合成／復号部
２７  送信部
３１  中継リンク受信部
３２  アクセスリンク送信部
３３  中継リンク送信部
３４  アクセスリンク受信部
【図１】
2011087225.tif 000003
【図２】
2011087225.tif 000004
【図３】
2011087225.tif 000005
【図４】
2011087225.tif 000006
【図５】
2011087225.tif 000007
【図６】
2011087225.tif 000008
【図７】
2011087225.tif 000009